(57)【要約】【課題】  垂直方向のシフト機能および水平方向の反転機能を小規模な回路構成で実現する画像表示制御装置を提供する。【解決手段】  操作部１７より垂直方向のシフト機能および水平方向の反転機能の実行が入力されるとタイミング信号生成部１５はラインメモリ１２ａ，１２ｂの読み出し制御信号をラインメモリの書き込みとは逆にアドレスが降順するよう生成するとともに、垂直方向のシフトに応じて出力するための垂直、水平同期信号を生成して同期信号合成回路１６に供給する。ラインメモリ１２ａ，１２ｂからの出力映像信号のデータはＤ／Ａ変換器１３に供給され映像信号に変換されたのち同期信号合成回路１６に供給される。同期信号合成回路１６では、供給された映像信号に出力するための垂直、水平同期信号を付加して出力する映像信号を生成して後段に供給するようにする。【選択図】      図１
2006154378.tif 000002
【特許請求の範囲】
【請求項１】
映像信号の垂直方向のシフト機能と水平反転機能とを有する画像表示制御装置であって、
入来する映像信号をＡ／Ｄ変換しデジタル画像データとするＡ／Ｄ変換部と、
前記デジタル画像データを一時記憶するメモリ回路と、
前記メモリ回路の書込みと読み出しのアドレスを変更可能とする制御回路と、
前記水平反転機能と垂直方向のシフト量とを入力する操作部と、
前前記操作部より入力された垂直方向のシフト量に応じた表示用の同期信号を生成する同期信号生成部と、
を有することを特徴とする画像表示制御装置。
【請求項２】
請求項１に記載の画像表示制御装置において、さらにモード保持手段を有し、垂直方向のシフト機能と水平反転機能との各モードの操作を保持し、前記同期信号生成部により生成された垂直ブランキング期間に前記各モードの操作を行うようにすることを特徴とする画像表示制御装置。
【発明の詳細な説明】
【技術分野】
【０００１】
本発明は、画像表示制御装置に関し、特に表示画像の左右反転機能、垂直方向シフト機能を備えた画像表示制御装置に関する。
【背景技術】
【０００２】
従来、プロジェクタのような画像表示装置においては、設置環境に応じて水平方向に反転して表示すること、あるいは上下方向に反転して表示することが求められている。そのため、表示素子の駆動方向を切り換えるようにしたプロジェクタが提案されている（例えば、特許文献１参照。）。
【０００３】
また、様々な入力映像ソースに対応して画像を正しい表示位置に表示するため、水平方向、垂直方向に画像表示位置をシフトすることが必要となる。従来、垂直方向に画像をシフトして表示する場合には、図６に示すように１画面分のメモリを設け、その書き込み、あるいは読み出しを制御して画像表示位置をシフトするようにしている。
【０００４】
【特許文献１】特開平８−００９３０８号公報
【発明の開示】
【発明が解決しようとする課題】
【０００５】
ところで、上述の特許文献１の提案によれば、表示画像を水平方向に反転して表示すること、あるいは上下方向に反転して表示することは可能であるが、水平方向、垂直方向に画像表示位置をシフトすることができないという問題があった。
【０００６】
また、図６に示すように１画面分のメモリを設け、その書き込み、あるいは読み出しを制御して画像表示位置をシフトするよう構成した場合、回路規模が増大してしまうという問題があった。
【０００７】
更には、左右反転、あるいは画像表示位置をシフトする操作を行う際、垂直同期期間に内部の回路の状態を変更しないと表示画面が乱れるという問題があった。
【０００８】
本発明は、以上の点に鑑みなされたもので、垂直方向のシフト機能および水平方向の反転機能を小規模な回路構成で実現し、垂直方向のシフト機能および水平方向の反転機能を操作した際、表示画面の乱れを軽減する画像表示制御装置を提供することを目的とする。
【課題を解決するための手段】
【０００９】
本発明は、上記課題を解決するために、以下の１）〜２）に記載手段よりなる。
すなわち、
１）映像信号の垂直方向のシフト機能と水平反転機能とを有する画像表示制御装置であって、
入来する映像信号をＡ／Ｄ変換しデジタル画像データとするＡ／Ｄ変換部と、
前記デジタル画像データを一時記憶するメモリ回路と、
前記メモリ回路の書込みと読み出しのアドレスを変更可能とする制御回路と、
前記水平反転機能と垂直方向のシフト量とを入力する操作部と、
前前記操作部より入力された垂直方向のシフト量に応じた表示用の同期信号を生成する同期信号生成部と、
を有することを特徴とする画像表示制御装置。
２）１）に記載の画像表示制御装置において、さらにモード保持手段を有し、垂直方向のシフト機能と水平反転機能との各モードの操作を保持し、前記同期信号生成部により生成された垂直ブランキング期間に前記各モードの操作を行うようにすることを特徴とする画像表示制御装置。
【発明の効果】
【００１０】
本発明の「画像表示制御装置」によれば、垂直方向のシフト機能および水平方向の反転機能を小規模な回路構成で実現する画像表示制御装置を提供することができる。
また、垂直方向のシフト機能および水平方向の反転機能を操作した際、表示画面の乱れを軽減する画像表示制御装置を提供することができる。
【発明を実施するための最良の形態】
【００１１】
以下、本発明に係る画像表示制御装置の発明を実施するための最良の形態につき、好ましい実施例により説明する。
【実施例１】
【００１２】
図１は実施例１に適用される画像表示制御装置の腰部構成を示した概略ブロック図である。同図に示すように、画像表示制御装置１０は、Ａ／Ｄ変換器１１、同期信号分離回路１４、ラインメモリ１２ａ，１２ｂ、Ｄ／Ａ変換器１３、同期信号合成回路１６、タイミング信号生成部１５、操作部１７から構成されている。
【００１３】
入力された画像信号は、同期信号分離回路１４に供給され垂直同期信号、水平同期信号を分離検出し、画像信号はＡ／Ｄ変換器１１へに、同期信号はタイミング信号生成部１５にそれぞれ供給される。画像信号はＡ／Ｄ変換器１１によりデジタル画像データに変換された後ラインメモリ１２ａ，１２ｂに供給される。後述するタイミング制御によりラインメモリ１２ａ，１２ｂに供給されたデジタル画像データはラインメモリ１２ａ，１２ｂに交互に書き込まれ、読み出された後Ｄ／Ａ変換器１３に供給される。
【００１４】
図２、図３を用いて、ラインメモリ１２ａ，１２ｂの制御、及び垂直方向のシフト機能と水平方向の反転機能とについて詳細に説明する。図２は、タイミング信号生成部１５の構成を詳細に説明するためのブロック図である。クロック発生部１５ａ、カウンタ回路１５ｂ、制御信号生成部１５ｃから構成されている。
【００１５】
クロック発生部１５ａは供給された垂直、水平同期信号に基づいてさせるとともにそのクロックをＡ／Ｄ変換器１１、ラインメモリ１２ａ，１２ｂ、Ｄ／Ａ変換器１３、制御信号生成部１５ｃに供給する（不図示）。カウンタ回路１５ｂは、入力同期信号によりリセットされ、入力された画像信号のライン数、及び水平方向画素数をカウントしている。制御信号生成部１５ｃはカウンタ回路１５ｂのカウントに基づきラインメモリ１２ａ，１２ｂの書き込み、読み出しを制御するための書き込み制御信号、読み出し制御信号を生成している。
【００１６】
図３は、ラインメモリ１２ａ（ＦＩＦＯ１），１２ｂ（ＦＩＦＯ２）の動作タイミングを説明するための図である。同図に示すようにラインメモリ１２ａ，ラインメモリ１２ｂに交互に書き込み読み出しを行うようにしている。この結果、出力は１ライン分遅れたデータが出力される。このとき、水平方向の反転が操作部１７により入力された場合、制御信号生成部１５ｃはラインメモリ１２ａ，１２ｂの読み出し制御信号をラインメモリの書き込みとは逆にアドレスが降順するよう生成する。
【００１７】
例えば、ＨＤＴＶ信号の場合、水平方向の反転機能が選択されている際、ラインメモリ１２ａ，ラインメモリ１２ｂは入力デジタル画像データをメモリのアドレス１から１９２０の順番に書込み、アドレス１９２０から１の順番にて読み出すことにより実現する。このように制御することで、ラインメモリ１２ａ，１２ｂからの出力映像信号は、水平方向の反転あり、なしいずれの場合も同じライン位置から開始する映像信号として得ることができる。
【００１８】
次に、垂直方向のシフト機能について図４を用いて説明する。図４は、垂直方向のシフト機能を模式的に説明するための図である。こちらも水平方向の反転機能と同様ＨＤＴＶ信号を例にとっている。ＨＤＴＶ信号の場合、垂直方向１０８０ラインであるが、垂直同期信号開始位置、上述の１ライン遅延をわかりやすくするため１０８２ラインとして説明する。同図（ｂ）に示している１から１０８２ライン分の数字がカウンタ回路１５ｂによりカウントされている１画面分のライン数である。同図（ａ）は、垂直方向のシフトを行わない場合のラインメモリ１２ａ，１２ｂからの出力映像信号のデータの並びを示している。すなわち、垂直同期信号開始位置があり、上述の１ライン遅延分ブランクの後１０８０ライン分のデータが出力される。
【００１９】
制御信号生成部１５ｃは、この垂直同期信号開始位置に応じて画像を出力するための垂直、水平同期信号を生成して同期信号合成回路１６に供給する。ラインメモリ１２ａ，１２ｂからの出力映像信号のデータもまたＤ／Ａ変換器１３に供給され映像信号に変換されたのち同期信号合成回路１６に供給される。同期信号合成回路１６では、供給された映像信号に出力するための垂直、水平同期信号を付加して出力する映像信号を生成して後段に供給する。
【００２０】
垂直方向のシフトが操作部１７により入力された場合、ここでは５ライン目のデータから表示させるようにする場合を例に説明する。操作部１７から垂直方向のシフトが入力された場合、そのシフト量である５ライン分に応じて制御信号生成部１５ｃは、図４（ｃ）に示すような出力となるよう応じて画像を出力するための垂直、水平同期信号を生成して同期信号合成回路１６に供給する。同時に、シフト量に応じて１０８０ライン目のデータ以降はブランクデータとなるようラインメモリ１２ａ，１２ｂからの出力映像信号のデータを制御する。このように制御することで、ラインメモリ１２ａ，１２ｂからの出力映像信号は、操作部１７から入力された垂直方向のシフト量に応じたライン位置から開始する映像信号として得ることができる。
【実施例２】
【００２１】
次に、左右反転、あるいは画像表示位置を垂直方向にシフトする操作を行う際、垂直同期期間に内部の回路の状態を変更し、表示画面の乱れを防ぐようにした実施例２について説明する。
左右反転を行う場合、ラインメモリの読み出しの途中ではアドレスが変更できない。また、強制的にリセットを行い世に出し方向を変更するとそのタイミングで映像の連続性がなくなってしまう。また、うまくある水平同期期間に合致したとしても、画面中そのラインから左右が反転した画像となり不自然な画像となってしまう。垂直方向にシフトする操作を行う場合も同様に、画面の途中で垂直同期信号開始位置が変更されることになり映像の連続性がなくなってしまう。
【００２２】
このような問題を回避するため、左右反転、あるいは画像表示位置を垂直方向にシフトする操作を行う際、垂直同期期間に内部の回路の状態を変更するよう構成すればよい。図５を用いて、垂直同期期間に内部の回路の状態を変更する動作について説明する。同図は実施例２に適用される画像表示制御装置の腰部構成を示した概略ブロック図である。同図に示すように、上述の実施例１のブロックにモード保持回路１８をさらに備えたものである。
【００２３】
モード保持回路１８は、操作部１７から、画像表示制御装置の表示モードの変更を検出すると、水平反転、垂直方向シフトの各モードを保持する。保持する時間は、画像表示制御装置の適応する映像信号の垂直同期周期より十分長ければ問題がなく、操作部１７に次の操作があるまで保持するようにしてもよい。
タイミング信号生成部１５は、モード保持回路１８により保持された操作部１７からの操作と同期信号分離回路１４から供給された垂直同期信号とを検出した時点より左右反転、あるいは画像表示位置を垂直方向にシフトする操作を開始する。映像信号の処理、ラインメモリ１２ａ，１２ｂの制御については実施例１と同様である。
【００２４】
なお、上述の実施例２では、モード保持回路の機能を単独のブロック構成として説明したが、操作部１７、あるいはタイミング信号生成部１５内に設ける構成としてもよい。
【００２５】
なお、上述の各実施例の説明では垂直方向のシフト機能は、実際に垂直方向のシフト量に応じたライン位置から開始する映像信号を得る機能として説明を行ったが、各実施例のように構成することで、いわゆる垂直方向の画像位置の調整であるポジション機能として用いてもよい。すなわち図４（ａ）のラインデータ並びのタイミングのまま垂直同期信号開始位置ずらして、画像を出力するための垂直、水平同期信号を生成することによりメモリを用いることなく垂直方向のポジションを調整することが可能である。
【００２６】
なお、各実施例では映像信号と垂直、水平同期信号を合成してアナログ映像信号として後段に供給する例を説明したが、後段の装置に応じてラインメモリ１２ａ，１２ｂからの出力映像信号のデータ、及び垂直、水平同期信号を夫々供給する構成としてもよい。
【図面の簡単な説明】
【００２７】
【図１】実施例１に適用される画像表示制御装置の腰部構成を示した概略ブロック図である。
【図２】図１におけるタイミング信号生成部の構成を説明するためのブロック図である。
【図３】図１における、ラインメモリの動作タイミングを説明するための図である。
【図４】垂直方向のシフト機能の動作タイミングを説明するための図である。
【図５】実施例２に適用される画像表示制御装置の腰部構成を示した概略ブロック図である。
【図６】従来の画像表示制御装置の構成を示した概略ブロック図である。
【符号の説明】
【００２８】
１０…画像表示制御装置
１１…Ａ／Ｄ変換器
１２ａ，１２ｂ…ラインメモリ
１３…Ｄ／Ａ変換器
１４…同期信号分離回路
１５…タイミング信号生成部
１６…同期信号合成回路
１７…操作部
１８…モード保持回路
【図１】
2006154378.tif 000003
【図２】
2006154378.tif 000004
【図３】
2006154378.tif 000005
【図４】
2006154378.tif 000006
【図５】
2006154378.tif 000007
【図６】
2006154378.tif 000008